(57)【特許請求の範囲】
【請求項１】
複数のオーディオファイルであって、前記オーディオファイルの各々が、特定の音楽ジャンルを表し、前記特定の音楽ジャンルに関連付けられた可聴特徴を有する、複数のオーディオファイルと、
好みの音楽ジャンルを表すユーザ選好データと、
前記ユーザ選好データを分析し、前記ユーザ選好データに基づいて、前記オーディオファイルのうちの１つを選択するためのプロセッサと、
前記プロセッサと通信し、前記オーディオファイルのうちの前記選択された１つを受信し、前記オーディオファイルのうちの前記選択された１つをオーディオ出力として送信する通信デバイスと
を備え、
前記ユーザ選好データは、ユーザの聴視履歴に基づいてコンパイルされ、
前記オーディオ出力は、前記オーディオファイルのうちの前記選択された１つの前記特定の音楽ジャンルに関連付けられた可聴特徴を有する可聴音声プロンプトである、適応プロンプトシステム。
【請求項２】
前記プロセッサは、前記好みの音楽ジャンルを前記オーディオファイルのうちの少なくとも１つの前記特定の音楽ジャンルと比較するためのプロセッサ実行可能な命令を含む命令セットに基づいて、前記ユーザ選好データを分析する、請求項１に記載の適応プロンプトシステム。
【請求項３】
前記プロセッサは、前記ユーザ選好データをパースして前記好みの音楽ジャンルを前記ユーザ選好データから抽出するためのプロセッサ実行可能な命令を含む命令セットに基づいて、前記ユーザ選好データを分析する、請求項１に記載の適応プロンプトシステム。
【請求項４】
前記オーディオファイルのうちの前記選択された１つの前記特定の音楽ジャンルは、前記好みの音楽ジャンルと実質的に一致する、請求項１に記載の適応プロンプトシステム。
【請求項５】
前記通信デバイスは車両中に設けられ、前記オーディオ出力は、前記車両の乗員に情報を伝達するための可聴音声プロンプトである、請求項１に記載の適応プロンプトシステム。
【請求項６】
複数のオーディオファイルを含む記憶デバイスであって、前記オーディオファイルの各々が、特定の音楽ジャンルを表し、かつ前記特定の音楽ジャンルに関連付けられた可聴特徴を有する、記憶デバイスと、
好みの音楽ジャンルを表すユーザ選好データを受信するデータインターフェースと、
前記記憶デバイス及び前記データインターフェースと通信し、前記ユーザ選好データを受信し、前記ユーザ選好データを分析し、かつ前記ユーザ選好データに基づいて前記オーディオファイルのうちの１つを選択するプロセッサと、
前記プロセッサと通信し、前記オーディオファイルのうちの前記選択された１つを受信し、前記オーディオファイルの前記選択された１つをオーディオ出力として送信する通信デバイスと
を備え、
前記ユーザ選好データは、ユーザの聴視履歴に基づいてコンパイルされ、
前記オーディオ出力は、前記オーディオファイルのうちの前記選択された１つの前記特定の音楽ジャンルに関連付けられた可聴特徴を有する可聴音声プロンプトである、適応プロンプトシステム。
【請求項７】
前記プロセッサは、前記好みの音楽ジャンルと前記オーディオファイルのうちの少なくとも１つの前記特定の音楽ジャンルとの比較を含む命令セットに基づいて、前記ユーザ選好データを分析する、請求項６に記載の適応プロンプトシステム。
【請求項８】
前記プロセッサは、前記ユーザ選好データをパースして前記好みの音楽ジャンルを前記ユーザ選好データから抽出するためのプロセッサ実行可能な命令を含む命令セットに基づいて、前記ユーザ選好データを分析する、請求項６に記載の適応プロンプトシステム。
【請求項９】
前記オーディオファイルのうちの前記選択された１つの前記特定の音楽ジャンルは、前記好みの音楽ジャンルと実質的に一致する、請求項６に記載の適応プロンプトシステム。
【請求項１０】
前記通信デバイスは車両中に設けられ、前記オーディオ出力は、前記車両の乗員に情報を伝達するための可聴音声プロンプトである、請求項６に記載の適応プロンプトシステム。
【請求項１１】
前記ユーザ選好データは、少なくともラジオジャンルデータからコンパイルされる、請求項６に記載の適応プロンプトシステム。
【請求項１２】
前記ユーザ選好データは、少なくとも衛星デジタルオーディオラジオサービスジャンルデータからコンパイルされる、請求項６に記載の適応プロンプトシステム。
【請求項１３】
前記ユーザ選好データは、少なくともストリーミングジャンルデータからコンパイルされる、請求項６に記載の適応プロンプトシステム。
【請求項１４】
前記ユーザ選好データは、インターネットを介して受信される、請求項６に記載の適応プロンプトシステム。
【請求項１５】
可聴プロンプトを制御する方法であって、
ａ）好みの音楽ジャンルを複数のオーディオファイルと比較する比較ステップであって、前記オーディオファイルの各々が、それに関連付けられた特定の音楽ジャンルを有する、ステップと、
ｂ）ステップａ）の前記比較に基づいて、前記オーディオファイルのうちの１つを選択する選択ステップであって、選択された前記オーディオファイルのうちの前記１つの前記特定の音楽ジャンルが、前記好みの音楽ジャンルと実質的に一致する、選択ステップと、
ｃ）選択された前記オーディオファイルのうちの前記１つから前記可聴音声プロンプトを発生させる発生ステップと
を含み、
前記好みの音楽ジャンルは、ユーザ選好データから抽出され、
前記ユーザ選好データは、ユーザの聴視履歴に基づいてコンパイルされ、
前記可聴音声プロンプトは、前記オーディオファイルのうちの前記選択された１つの前記特定の音楽ジャンルに関連付けられた可聴特徴を有する、方法。
【請求項１６】
ステップｃ）は、イベントトリガに応答して実行される、請求項１５に記載の方法。
【発明の詳細な説明】
【技術分野】
【０００１】
本発明は、概して、プロンプトシステム（prompt system）に関する。詳細には、本発明は、ユーザ選好に応じて、オーディオ／音声プロンプトを自動的に調節するためのシステム及び方法に関する。
【背景技術】
【０００２】
車両において、車両の乗員に様々なメッセージ及び警告を通信するために、オーディオプロンプト（audio prompts）が広く実装されている。具体的には、人の音声又はその派生物を模倣する音声プロンプト（voice prompts）が、ナビゲーションシステム及び音声コマンド型ヒューマンマシンインターフェース（human machine interface：ＨＭＩ）システムを含む様々なシステムによって提供される。現在、音声プロンプトは、独特な可聴特徴に限定され、聞き手にとって面白くないものとして認知されることがある。
【発明の概要】
【発明が解決しようとする課題】
【０００３】
車両においてオーディオプロンプトを制御するための適応プロンプトシステム及び方法であって、ユーザの好みのジャンルに関連付けられた可聴特徴を有するオーディオプロンプトをユーザに送信するシステム及び方法を開発することが望ましい。
【課題を解決するための手段】
【０００４】
本発明と調和及び一致し、車両においてオーディオプロンプトを制御するための適応プロンプトシステム及び方法であって、ユーザの好みのジャンルに関連付けられた可聴特徴を有するオーディオプロンプトをユーザに送信するシステム及び方法が、驚くべきことに発見された。
【０００５】
１つの実施形態では、適応プロンプトシステムは、複数のオーディオファイルであって、オーディオファイルの各々が、特定のジャンルを表し、特定のジャンルに関連付けられた可聴特徴を有する、複数のオーディオファイルと、好みのジャンルを表すユーザ選好データと、ユーザ選好データを分析し、ユーザ選好データに基づいて、オーディオファイルのうちの１つを選択するためのプロセッサと、選択されたオーディオファイルのうちの１つを受信し、選択されたオーディオファイルのうちの１つをオーディオ出力として送信するために、プロセッサと通信する通信デバイスとを備える。
【０００６】
別の実施形態では、適応プロンプトシステムは、複数のオーディオファイルを含む記憶デバイスであって、オーディオファイルの各々が、特定のジャンルを表し、特定のジャンルに関連付けられた可聴特徴を有する、記憶デバイスと、好みのジャンルを表すユーザ選好データを受信するデータインターフェースと、ユーザ選好データを受信し、ユーザ選好データを分析し、ユーザ選好データに基づいて、オーディオファイルのうちの１つを選択するために、記憶デバイス及びデータインターフェースと通信するプロセッサと、オーディオファイルのうちの選択された１つを受信し、オーディオファイルの選択された１つをオーディオ出力として送信するために、プロセッサと通信する通信デバイスとを備える。
【０００７】
本発明はまた、可聴プロンプトを制御する方法を提供する。
【０００８】
１つの方法は、
ａ）好みのジャンルを複数のオーディオファイルと比較するステップであって、オーディオファイルの各々が、それに関連付けられた特定のジャンルを有する、比較するステップと、
ｂ）ステップａ）の比較に基づいて、オーディオファイルのうちの１つを選択するステップであって、選択されたオーディオファイルのうちの１つの特定のジャンルが、好みのジャンルと実質的に一致する、選択するステップと、
ｃ）選択されたオーディオファイルのうちの１つから可聴プロンプトを発生させるステップと
を備える。
【０００９】
当業者には、上記ならびに本発明の他の利点は、添付の図面に照らして検討すると、好ましい実施形態に関する以下の詳細な説明から容易に明らかになるであろう。
【図面の簡単な説明】
【００１０】
【図１】本発明の一実施形態による適応プロンプトシステムを含む車両の内部の斜視図である。
【図２】図１の適応プロンプトシステムの概略図である。
【図３】図１の適応プロンプトシステムを動作させるための方法のフロー図である。
【発明を実施するための形態】
【００１１】
以下の詳細な説明及び添付の図面は、本発明の様々な実施形態について説明し、例示するものである。これらの説明及び図面は、当業者が、本発明を実施及び使用することができるようにするための役目を果たし、いかなる方法においても本発明の範囲を制限するものではない。開示された方法に関して、提示された諸ステップは本質的に例示的なものであり、したがって、各ステップの順序は、必須のものでも、あるいは不可欠なものでもない。
【００１２】
図１〜図２に、本発明の一実施形態による適応プロンプトシステム１０を示す。図示のように、プロンプトシステム１０は、通信デバイス１２と、データインターフェース１４と、プロセッサ１６と、ユーザインターフェース１８とを含む。プロンプトシステム１０は、所望に応じて、任意の数の構成要素を含むことができる。非限定的な例として、プロンプトシステム１０は、車両２０中に設けられる。ただし、プロンプトシステム１０は、任意のユーザ環境に統合することができる。
【００１３】
通信デバイス１２は、車両２０の乗員への可聴プロンプト２１を発生させるための任意のデバイス又はシステムとすることができる。非限定的な例として、可聴プロンプト２１は、人の音声又は人の音声の何らかの派生物を模倣する音声プロンプトである。図示のように、通信デバイス１２は、可聴プロンプト２１の特徴（例えば、可聴特徴、トーン、ボリューム、周波数、スタイルなど）を制御するために、プロセッサ１６と通信する。
【００１４】
データインターフェース１４は、任意のデバイス、ポート、又はデータ入力を受信することができるシステムとすることができる。ある実施形態では、データインターフェース１４は、インターネット２２への接続性を有する。非限定的な例として、データインターフェース１４は、周辺デバイス２３、又は携帯電話、スマートフォンＷｉ−Ｆｉ（商標）対応デバイスなどのようなパーソナル電子デバイスと通信する。さらなる非限定的な例として、データインターフェース１４は、例えば、ラジオのような、車両２０に統合された車内デバイス（図示せず）と通信する。
【００１５】
ある実施形態では、データインターフェース１４は、オーディオ出力に関連する複数のユーザ選好（例えば、音楽のジャンル、ニュース番組、特定の音楽バンド、特定のラジオチャンネル／局など）を表すユーザ選好データ２４を受信する。ユーザ選好データ２４は、ＡＭ／ＦＭ／ＨＤジャンルデータ２６（即ち、ラジオジャンルデータ）、衛星デジタルオーディオラジオサービス（Satellite Digital Audio Radio services：ＳＤＡＲＳ）ジャンルデータ２８、イントラネット／インターネットストリーミングされたジャンルデータ３０、及びローカルメディアジャンルデータ３２のソースのような所定のロケーションから、データインターフェース１４を介してダウンロードできることが理解される。データインターフェース１４は、選好データを獲得するために、ハードワイヤ、ワイヤレス通信、インターネット２２、ラジオチューナ、及びジャンルデータを送信するための当分野で知られる、他のデータ搬送手段のような様々なデータ搬送の手段及び接続性に依拠し得ることが理解される。非限定的な例として、パンドラメディア社（Pandora Media, Inc.）のミュージック・ゲノム・プロジェクト（Music Genome Project）（商標）ソフトウェアのような２次ソフトウェア（図示せず）を使用して、ユーザ選好データ２４を含むプロファイルを発生させることができる。
【００１６】
プロセッサ１６は、少なくとも１つの入力信号を受信し、その少なくとも１つの入力信号を分析し、評価し、その少なくとも１つの入力信号の分析に基づいて、ユーザに送信されるオーディオプロンプト２１を制御するように適応した任意のデバイス又はシステムとすることができる。ある実施形態では、プロセッサ１６は、マイクロコンピュータである。図示の実施形態では、プロセッサ１６は、データインターフェース１４及びユーザインターフェース１８のうちの少なくとも１つから、少なくとも１つの入力信号を受信する。ある実施形態では、プロセッサ１６は、データインターフェース１４から（例えば、好みのジャンルデータを表す）ユーザ選好データ２４を受信し、ユーザインターフェース１８からユーザにより提供された入力を受信する。プロセッサ１６は、他のデバイス（例えば、全地球測位システム）、システム及び構成要素と通信することでき、それらの制御を行うことができることが理解される。図示の実施形態では、プロセッサ１６は、オーディオプロンプト２１の送信を開始するためのトリガイベントを受信するために、車両システム３４と通信する。トリガイベントは、例えば、データインターフェース１４及びユーザインターフェース１８を含む任意のデバイス又はシステムから受信できることが理解される。プロセッサ１６は、車両システム３４を制御することができることがさらに理解される。
【００１７】
図示のように、プロセッサ１６は、命令セット３６に基づいて、少なくとも１つの入力信号を分析し、評価する。命令セット３６は、任意のコンピュータ可読媒体内において実施することができ、様々なタスクを行うようにプロセッサ１６を構成するためのプロセッサ実行可能な命令を含む。プロセッサ１６は、例えば、通信デバイス１２、データインターフェース１４及びユーザインターフェース１８の機能を制御することのような様々な機能を実行できることが理解される。非限定的な例として、命令セット３６は、（例えば、データインターフェース１４及びユーザインターフェース１８を介して）プロセッサ１６によって受信された情報に基づいて、（例えば、音楽のジャンル又はユーザの習慣に関連する）ユーザの好みの有無を判断するように適応したアルゴリズム又はソフトウェアである。具体的には、プロセッサ１６は、ユーザインターフェース１８を介して、ユーザにより提供された入力に基づいて、ユーザ選好データ２４を発生させることができる。さらなる例として、命令セット３６は、好みのジャンルを判断する（例えば、抽出する）ために、かつ、好みのジャンルに基づいてオーディオプロンプト２１を選択するために、ユーザ選好データ２４を分析するためのアルゴリズム又はソフトウェアを含む。
【００１８】
プロセッサ１６は、プログラム可能な構成要素３７をさらに含むことができる。プログラム可能な構成要素３７は、例えば、通信デバイス１２、データインターフェース１４、及びユーザインターフェース１８のような、プロンプトシステム１０の任意の他の構成要素と通信できることが理解される。ある実施形態では、プログラム可能な構成要素３７は、プロセッサ１６の処理機能を管理し、制御するように適応される。詳細には、プログラム可能な構成要素３７は、命令セットを修正し、プロセッサ１６によって受信された入力信号及び情報の分析を制御するように適応される。プログラム可能な構成要素３７は、他の構成要素を管理し、制御するように適応できることが理解される。
【００１９】
ある実施形態では、適応プロンプトシステム１０は、記憶デバイス３８を含む。記憶デバイス３８は、車両２０と統合された構成要素、又は車両２０とは別個の構成要素とし得ることが理解される。記憶デバイス３８は、車両２０中の任意の場所に設けることができ、リムーバブルデバイスとし得ることがさらに理解される。記憶デバイス３８は、単一の記憶デバイスとしても、あるいは、複数の記憶デバイスとしてもよい。さらに、記憶デバイス３８は、固体記憶システム、磁気記憶システム、光学記憶システム、あるいは任意の他の好適な記憶システム又はデバイスとすることができる。非限定的な例として、記憶デバイス３８は、命令セット３６を記憶するように適応される。さらなる非限定的な例として、記憶デバイスは、複数のオーディオファイル４０又はオーディオデータファイル（すなわち、オーディオプロンプト２１として送信することができるデータの任意の集合）を記憶するように適応され、オーディオファイル４０の各々は、特定のジャンル４２に関連付けられ、特定のジャンル４２に関連付けられた可聴特徴を表す。ある実施形態では、オーディオファイル４０は、特定のジャンルに従来から関連付けられていた可聴特徴を含む様々なジャンル（例えば、音楽ジャンル）を模倣する音声プロンプトのカタログを含む。オーディオファイル４０は、サーバ（図示せず）から、あるいは他のソースからダウンロードできることが理解される。ユーザインターフェース１８によって収集されたデータのような他のデータ及び情報を記憶デバイス３８に記録し、分類することができる。
【００２０】
ある実施形態では、記憶デバイス３８は、複数のユーザプロファイル４４を含み、ユーザプロファイル４４の各々は、特定のユーザに関連付けられたユーザ選好データ２４を含む。したがって、分析及び比較のためにユーザ選好データ２４に抽出するために、プロセッサ１６によって、ユーザプロファイル４４のうちのいずれか１つを選択することができる。周辺デバイス２３のような他のソース、あるいはインターネット２２又はローカルネットワークを介するソースから、ユーザプロファイル４４のうちのいずれかを記憶し、取り出すことができることが理解される。
【００２１】
ユーザインターフェース１８は、選択的入力（例えば、ユーザにより提供された入力）を、通信デバイス１２、データインターフェース１４、及びプロセッサ１６のうちの少なくとも１つに提供するために、通信デバイス１２、データインターフェース１４、及びプロセッサ１６のうちの少なくとも１つと通信する。ユーザインターフェース１８は、典型的には、少なくとも１つのユーザが作動させることが可能なボタン４６を含む。ある実施形態では、ボタン４６は、関連付けられた構成要素（例えば、車両システム３４）に関する実行可能な機能と関連付けられる。
【００２２】
図３に、プロンプトシステム１０の動作の方法１００を示す。ステップ１０２において、ユーザ選好データ２４を提供する（例えば、ユーザにより提供された入力に基づいて発生させる、デバイスから受信する、インターネット２２からダウンロードする、記憶デバイス３８から取り出す、など）。
【００２３】
ステップ１０４において、プロセッサ１６は、通信デバイス１２及びユーザインターフェース１８のうちの少なくとも１つからユーザ選好データ２４を受信し、命令セット３６に基づいて、ユーザ選好データ２４を分析する。非限定的な例として、プロセッサ１６は、ユーザ選好データ２４によって表される情報から、好みのジャンルを判断する（例えば、抽出する）ために、ユーザ選好データ２４を分析する。ユーザ選好データ２４によって表される情報から、好みのジャンル判断するために、様々なアルゴリズム、パーシング技法、スコアリング技法、重み付け技法などを使用できることが理解される。
【００２４】
ある実施形態では、プロセッサ１６は、ステップ１０４において実行された分析に応じて、好みのジャンルの優先順位リストを作る。ある実施形態では、優先順位リストは、聴視の頻度に基づいて、又はユーザにより提供されたフィードバックに応じて構成される。ある実施形態では、優先順位リストは、音楽のジャンル、特定のユーザの聴視履歴、日時、行程計画、地球上の位置、及び他のメトリック（metrics）に基づいて構成される。
【００２５】
ステップ１０６において、プロセッサ１６は、ユーザ選好データ２４とオーディオファイル４０のうちの複数とを比較して、オーディオファイル４０うちのどれが、ユーザ選好データ２４によって表された好みのジャンルと実質的に一致する関連ジャンル４２を有するのかを判断する。次いで、プロセッサ１６は、「ベストマッチ」を有するオーディオファイル４０のうちの１つを選択する。オーディオファイル４０のうちの１つを選択するために、プロセッサは他のメトリックに依拠してもよいことが理解される。
【００２６】
ステップ１０８において、プロセッサ１６は、オーディオ出力をユーザに送信する。非限定的な例として、プロセッサ１６は、オーディオプロンプト２１のソースとして、オーディオファイル４０のうちの選択された１つを使用して、通信デバイス１２を介してオーディオプロンプト２１を送信することができる。ある実施形態では、ステップ１０８は、トリガイベントに応答して実行される。非限定的な例として、トリガイベントは、ユーザにより提供された入力に応答して、ユーザインターフェース１８から受信される。さらなる非限定的な例として、トリガイベントは、当業者には理解されるように、プロンプトトリガ（例えば、ナビゲーション音声プロンプト、車両安全性警報など）として、車両システム３４から受信される。したがって、ユーザ（例えば、車両２０の乗員）に送信されるオーディオプロンプト２１は、ユーザの好みのジャンルと同様の可聴特徴を含む。非限定的な例として、オーディオプロンプト２１は、心休まるジャズボイス、「古風な」クラシカルボイス、荒々しいロックンロールボイス、６０年代のハッピーボイス、ラップボイスなどを模倣する可聴特徴を含むことができる。さらなる非限定的な例として、プロンプトシステム１０は、ユーザの好みが変わるにつれて、オーディオプロンプト２１を自動的に更新するように適応される。
【００２７】
ステップ１１０において、ユーザは、フィードバックを提供するために、ユーザインターフェース１８とインタラクトすることができる。非限定的な例として、ユーザは、オーディオプロンプトに応答して、「好きである」フィードバック又は「好きではない」フィードバックを表すボタン４６のうちの１つを作動させる。それに応じて、現在ユーザに送信されているオーディオプロンプト２１に関連付けられたオーディオファイル４０を使用して、ユーザ選好データ２４が更新される。
【００２８】
適応プロンプトシステム１０を動作させる適応プロンプトシステム１０及び方法１００は、ユーザの好みのジャンルに関連付けられた可聴特徴を有するオーディオプロンプト２１を、ユーザに送信する。このようにして、ユーザの特定の好みに基づいて、望ましい可聴特徴とともに独特のスタイルを有するオーディオプロンプト２１が、ユーザに送信される。さらに、適応プロンプトシステム１０は、経時的に、ユーザフィードバック及びユーザの聴視習慣に基づいて自動的に更新される。
【００２９】
前述の説明から、当業者には、本発明の本質的な特徴を容易に認識し、本発明の趣旨及び範囲から逸脱することなく、様々な使用及び状態に適応するように、本発明に対して様々な変更及び修正を行うことができる。
【符号の説明】
【００３０】
１０  プロンプトシステム
１２  通信デバイス
１４  データインターフェース
１６  プロセッサ
１８  ユーザインターフェース
２０  車両
２１  オーディオプロンプト
２２  インターネット
２３  周辺デバイス
２４  ユーザ選好データ
２６  ラジオジャンルデータ
２８、３０  ジャンルデータ
３２  ローカルメディアジャンルデータ
３４  車両システム
３６  命令セット
３８  記憶デバイス
４０  オーディオファイル
４２  ジャンル
４４  ユーザプロファイル
４６  ボタン
【図１】
0005660546.tif 000002
【図２】
0005660546.tif 000003
【図３】
0005660546.tif 000004